(57)【要約】【課題】外部の構成回路素子および自己の異常発熱を検出することのできるインバータ回路用集積回路を備えた放電ランプ点灯装置およびこの放電ランプ点灯装置を配設する照明器具を提供する。【解決手段】放電ランプ点灯装置１は、インバータ回路３のスイッチ素子ＦＥＴ２，ＦＥＴ３のオンオフ動作を制御するとともにサーマルプロテクタ１３を内蔵し、直流電源回路２、インバータ回路３および負荷回路４の少なくとも１つの発熱部品に熱結合されて当該発熱部品の異常発熱により温度上昇し、サーマルプロテクタ１３が所定温度以上を検出したときにスイッチ素子ＦＥＴ２，ＦＥＴ３のオンオフ動作を停止またはインバータ回路の出力を低減させるように制御するインバータ回路用集積回路５を具備する。【選択図】図１
2006185603.tif 000002
【特許請求の範囲】
【請求項１】
直流電圧を出力する直流電源回路と；
スイッチ素子を備え、このスイッチ素子のオンオフ動作により前記直流電圧を高周波電圧に変換して出力するインバータ回路と；
インバータ回路の出力間に接続され、前記高周波電圧により付勢されるインダクタ、共振用コンデンサおよび放電ランプを有してなる負荷回路と；
前記スイッチ素子のオンオフ動作を制御するとともに自己保護用のサーマルプロテクタを内蔵し、直流電源回路、インバータ回路および負荷回路の少なくとも１つの発熱部品に熱結合されて当該発熱部品の異常発熱により温度上昇し、サーマルプロテクタが所定温度以上を検出したときに前記スイッチ素子のオンオフ動作を停止またはインバータ回路の出力が低減するように制御するインバータ回路用集積回路と；
を具備していることを特徴とする放電ランプ点灯装置。
【請求項２】
インバータ回路用集積回路は、インバータ回路のスイッチ素子に熱結合されていることを特徴とする請求項１記載の放電ランプ点灯装置。
【請求項３】
インバータ回路用集積回路は、サーマルプロテクタが所定温度以上を検出してインバータ回路のスイッチ素子のオンオフ動作を停止またはインバータ回路の出力が低減するように制御させたときには、前記停止または出力の低減を保持させ、外部からリセット信号が入力されたときに前記停止または出力の低減の保持を解除するように構成されていることを特徴とする請求項１または２記載の放電ランプ点灯装置。
【請求項４】
請求項１ないし３いずれか一記載の放電ランプ点灯装置と；
この放電ランプ点灯装置を配設している照明器具本体と；
を具備していることを特徴とする照明器具。
【発明の詳細な説明】
【技術分野】
【０００１】
本発明は、サーマルプロテクタを具備している放電ランプ点灯装置およびこの放電ランプ点灯装置を配設している照明器具に関する。
【背景技術】
【０００２】
放電ランプに例えば半波放電などの異常が発生すると、インバータ回路のスイッチ素子などが異常発熱することが知られている。そして、スイッチ素子の異常発熱による破壊を防止するために、サーマルプロテクタをスイッチ素子に熱結合させ、スイッチ素子が異常発熱したときにスイッチ素子のオンオフ動作を停止させることが行われている。
【０００３】
例えば、インバータ回路の出力から発振制御回路の電源を形成する制御電源回路を備え、制御電源回路の直列共振回路に直列にサーマルプロテクタを挿入する放電ランプ点灯装置が提案されている（特許文献１参照。）。この従来技術の放電ランプ装置は、スイッチ素子の発熱が所定温度以上となった場合にサーマルプロテクタが開き、制御電源回路の直列共振回路がインバータ回路の出力から切り離される。これにより、制御電源回路による発振制御回路への電源の供給が停止され、スイッチ素子がオンオフ動作しなくなるものである。
【特許文献１】特開平２−２７３４９８号公報（第４頁、第１図）
【発明の開示】
【発明が解決しようとする課題】
【０００４】
特許文献１の放電ランプ点灯装置は、サーマルプロテクタがスイッチ素子に接触または近接して配置されるものであり、当該配置スペースが必要であるとともに制御電源回路および発振制御回路などの制御回路の異常発熱を検出することができない。
【０００５】
近年、インバータ回路を制御する制御回路を集積回路にして、放電ランプ点灯装置が小形化されている。そして、密に配置された回路部品の短絡や破壊などにより、集積回路が異常発熱するとともにインバータ回路を異常に制御することを防止することが求められている。
【０００６】
また、インバータ回路などの構成回路素子を異常発熱から保護することも求められ、かつ、保護用の検出部品などの部品点数の削減も求められている。
【０００７】
本発明は、構成回路素子および自己の異常発熱を検出することのできるインバータ回路用集積回路を備えた放電ランプ点灯装置およびこの放電ランプ点灯装置を配設する照明器具を提供することを目的とする。
【課題を解決するための手段】
【０００８】
請求項１に記載の放電ランプ点灯装置の発明は、直流電圧を出力する直流電源回路と；スイッチ素子を備え、このスイッチ素子のオンオフ動作により前記直流電圧を高周波電圧に変換して出力するインバータ回路と；インバータ回路の出力間に接続され、前記高周波電圧により付勢されるインダクタ、共振用コンデンサおよび放電ランプを有してなる負荷回路と；前記スイッチ素子のオンオフ動作を制御するとともに自己保護用のサーマルプロテクタを内蔵し、直流電源回路、インバータ回路および負荷回路の少なくとも１つの発熱部品に熱結合されて当該発熱部品の異常発熱により温度上昇し、サーマルプロテクタが所定温度以上を検出したときに前記スイッチ素子のオンオフ動作を停止またはインバータ回路の出力が低減するように制御するインバータ回路用集積回路と；を具備していることを特徴とする。
【０００９】
本発明および以下の各発明において、特に言及しない限り、各構成は以下による。
【００１０】
直流電源回路、インバータ回路および負荷回路の発熱部品は、これらの回路の保護回路の発熱部品を包含する。例えば、直流電源回路においては、突入電流防止回路などの発熱部品、また、負荷回路においては、放電ランプの寿命検出回路などの発熱部品である。
【００１１】
「インバータ回路用集積回路が発熱部品に熱結合される」とは、インバータ回路用集積回路が発熱部品から伝熱されることをいい、発熱部品が異常発熱すると、迅速にインバータ回路用集積回路の温度が上昇することを意味する。
【００１２】
インバータ回路用集積回路は、発熱部品に接触または近接して熱結合させてもよく、伝熱性の良好な部材を介して熱結合させてもよい。
【００１３】
本発明によれば、インバータ回路用集積回路内の回路部品が例えば短絡または破壊してインバータ回路用集積回路が異常発熱すると、または、直流電源回路、インバータ回路および負荷回路の発熱部品が異常発熱すると、インバータ回路用集積回路の温度が上昇する。そして、インバータ回路用集積回路に内蔵しているサーマルプロテクタが所定温度以上を検出すると、インバータ回路用集積回路は、インバータ回路のスイッチ素子のオンオフ動作を停止またはインバータ回路の出力を低減させるように制御する。これにより、インバータ回路の動作が停止またはインバータ回路の出力が低減する。
【００１４】
そして、発熱部品に電流が流れなくなり、あるいは、発熱部品に流れる電流が減少する。時間の経過とともに、インバータ回路用集積回路または直流電源回路、インバータ回路および負荷回路の発熱部品の温度が低下するので、インバータ回路用集積回路、または直流電源回路、インバータ回路および負荷回路は、異常発熱から保護される。
【００１５】
請求項２に記載の放電ランプ点灯装置の発明は、請求項１記載の放電ランプ点灯装置において、インバータ回路用集積回路は、インバータ回路のスイッチ素子に熱結合されていることを特徴とする。
【００１６】
本発明によれば、スイッチ素子が異常発熱すると、スイッチ素子に熱結合しているインバータ回路用集積回路の温度が上昇する。サーマルプロテクタが所定温度以上を検出すると、インバータ回路用集積回路によりスイッチ素子のオンオフ動作が停止またはインバータ回路の出力が低減するように制御される。これにより、スイッチ素子に電流が流れなくなり、あるいは、スイッチ素子に流れる電流が減少して、スイッチ素子の温度が低下する。
【００１７】
請求項３に記載の放電ランプ点灯装置の発明は、請求項１または２記載の放電ランプ点灯装置において、インバータ回路用集積回路は、サーマルプロテクタが所定温度以上を検出してインバータ回路のスイッチ素子のオンオフ動作を停止またはインバータ回路の出力が低減するように制御させたときには、前記停止または出力の低減を保持させ、外部からリセット信号が入力されたときに前記停止または出力の低減の保持を解除するように構成されていることを特徴とする。
【００１８】
本発明によれば、サーマルプロテクタが所定温度以上を検出してスイッチ素子のオンオフ動作が停止またはインバータ回路の出力が低減されると、インバータ回路用集積回路自身、または直流電源回路、インバータ回路および負荷回路の発熱部品が所定温度を下回るようになっても、インバータ回路用集積回路に外部からリセット信号が入力されない限り、スイッチ素子のオンオフ動作の停止が継続され、または、インバータ回路の出力の低減が継続される。
【００１９】
請求項４に記載の照明器具の発明は、請求項１ないし３いずれか一記載の放電ランプ点灯装置と；この放電ランプ点灯装置を配設している照明器具本体と；を具備していることを特徴とする。
【００２０】
本発明によれば、インバータ回路用集積回路自身、または直流電源回路、インバータ回路および負荷回路の発熱部品の異常発熱を検出することのできるインバータ回路用集積回路を備えた請求項１ないし３いずれか一記載の放電ランプ点灯装置を具備した照明器具が提供される。
【発明の効果】
【００２１】
請求項１の発明によれば、インバータ回路用集積回路に内蔵されたサーマルプロテクタは、インバータ回路用集積回路自身の異常発熱を検出するとともに、直流電源回路、インバータ回路および負荷回路の発熱部品を検出することができるので、サーマルプロテクタの部品点数を削減することができる。
【００２２】
請求項２の発明によれば、スイッチ素子が異常発熱すると、スイッチ素子に熱結合しているインバータ回路用集積回路に内蔵しているサーマルプロテクタが所定温度以上を検出したときに、インバータ回路用集積回路によりスイッチ素子のオンオフ動作が停止またはインバータ回路の出力が低減されるので、スイッチ素子の異常発熱が継続されなくなり、スイッチ素子の熱破壊を防止することができる。
【００２３】
請求項３の発明によれば、サーマルプロテクタが所定温度以上を検出してスイッチ素子のオンオフ動作が停止またはインバータ回路の出力が低減されると、インバータ回路用集積回路に外部からリセット信号が入力されない限り、スイッチ素子のオンオフ動作の停止が保持され、または、インバータ回路の出力の低減が保持されるので、インバータ回路用集積回路自身、または直流電源回路、インバータ回路および負荷回路の発熱部品が所定温度を下回ったときに、再びスイッチ素子がオンオフ動作して、インバータ回路用集積回路、または直流電源回路、インバータ回路および負荷回路の発熱部品が異常発熱するという繰り返しを防止することができる。
【００２４】
請求項４の発明によれば、異常発熱により、インバータ回路用集積回路自身、または直流電源回路、インバータ回路および負荷回路の発熱部品の熱破壊を防止することのできるインバータ回路用集積回路を備えた請求項１ないし３いずれか一記載の放電ランプ点灯装置を具備した照明器具を提供することができる。
【発明を実施するための最良の形態】
【００２５】
以下、本発明の一実施の形態について、図面を参照して説明する。まず、本発明の第１の実施形態について説明する。
【００２６】
図１〜図５は、本発明の第１の実施形態を示し、図１は放電ランプ点灯装置の回路図、図２はインバータ回路用集積回路のブロック図、図３は、放熱シートによるスイッチ素子およびインバータ回路用集積回路の熱結合を示す概略断面図、図４は他のスイッチ素子およびインバータ回路用集積回路の熱結合を示し、図４（ａ）は半田による熱結合の概略上面図、図４（ｂ）は配線パターンによる熱結合の概略上面図、図５は抵抗およびインバータ回路用集積回路の熱結合を示し、図５（ａ）は回路基板を介する熱結合の概略断面図、図５（ｂ）は近接による熱結合の概略上面図、図５（ｃ）は配線パターンによる熱結合の概略上面図である。
【００２７】
図１において、放電ランプ点灯装置１は、直流電源回路２、インバータ回路３、負荷回路４およびインバータ回路用集積回路５を有して構成されている。そして、直流電源回路２は、直流電圧発生回路６、チョッパ回路７および突入電流防止回路８を有して構成されている。また、負荷回路４は、寿命検出回路９を具備している。
【００２８】
直流電圧発生回路２は、整流装置１０およびフィルター用のコンデンサＣ１を有してなり、商用交流電源Ｖｓの商用交流電圧を直流電圧に変換し、直流電圧をコンデンサＣ１の両端間に出力する。コンデンサＣ１の負極側は、基板アースＥに接続されている。
【００２９】
チョッパ回路７は、突入電流防止回路８を介して直流電圧発生回路６のコンデンサＣ１の両端間に接続されたインダクタＬ１および電界効果トランジスタＦＥＴ１の直列回路と、電界効果トランジスタＦＥＴ１の両端間に接続されたダイオードＤ１および平滑用コンデンサＣ２の直列回路を有して構成されている。そして、電界効果トランジスタＦＥＴ１のゲートは、チョッパ回路用制御回路１１に接続されている。
【００３０】
チョッパ回路用制御回路１１は、チョッパ回路７の平滑用コンデンサＣ２の両端間に所定の電圧が発生するように電界効果トランジスタＦＥＴ１をオンオフ動作させる。すなわち、直流電圧発生回路６のコンデンサＣ１の両端間に発生した直流電圧は、昇圧され、所定の電圧に変換されて平滑用コンデンサＣ２の両端間に出力される。平滑用コンデンサＣ２の両端間電圧は、インバータ回路３の入力電圧となっている。
【００３１】
突入電流防止回路８は、コンデンサＣ１の正極側およびインダクタＬ１の間に接続されたサイリスタＳＣＲ１、一端がサイリスタＳＣＲ１のカソードに接続されたインダクタＬ１の二次巻線Ｌ１ａ、アノードが二次巻線Ｌ１ａの他端に接続されるようにしてゲート抵抗Ｒ１を介してサイリスタＳＣＲ１のゲートに接続されたダイオードＤ２、ゲート抵抗Ｒ１を介してサイリスタＳＣＲ１のカソード、ゲート間に接続された抵抗Ｒ２およびコンデンサＣ３の並列回路、さらにサイリスタＳＣＲ１のアノード、カソード間に接続された突入電流防止用の抵抗Ｒ３を有して構成されている。
【００３２】
商用交流電源Ｖｓが投入された当初に流れる突入電流は、突入電流防止回路８の抵抗Ｒ３に流れて限流される。そして、インダクタＬ１に電流が流れると、二次巻線Ｌ１ａの両端間に電圧が発生し、この電圧は、ダイオードＤ２で整流され、抵抗Ｒ２およびコンデンサＣ３の並列回路で平滑されて、ゲート抵抗Ｒ１を介してサイリスタＳＣＲ１のカソード、ゲート間に印加される。これにより、サイリスタＳＣＲ１がオンし、以後、サイリスタＳＣＲ１を介してコンデンサＣ１の正極側からチョッパ回路３に電流が流れる。このように、商用交流電源Ｖｓが投入された当初に抵抗Ｒ３に突入電流が流れるので、チョッパ回路３の平滑用コンデンサＣ２への突入電流が軽減されるとともに、商用交流電源Ｖｓ側の入力端子の溶着などが防止される。
【００３３】
そして、インバータ回路３は、チョッパ回路３の平滑用コンデンサＣ２の両端間に接続されたスイッチ素子としての電界効果トランジスタＦＥＴ２および電界効果トランジスタＦＥＴ３の直列回路を有して構成されている。電界効果トランジスタＦＥＴ２および電界効果トランジスタＦＥＴ３のそれぞれのゲート、ソースは、それぞれインバータ回路用集積回路５に接続されている。
【００３４】
電界効果トランジスタＦＥＴ２および電界効果トランジスタＦＥＴ３のそれぞれのゲート、ソース間には、インバータ回路用集積回路５から交互に駆動電圧が供給される。これにより、電界効果トランジスタＦＥＴ２および電界効果トランジスタＦＥＴ３が交互にオンオフ動作する。このオンオフ動作により、チョッパ回路３の平滑用コンデンサＣ２の両端間に出力された直流電圧は、高周波電圧に変換され、電界効果トランジスタＦＥＴ３のドレイン、ソース間に出力される。電界効果トランジスタＦＥＴ３のドレイン、ソース間は、インバータ回路３の出力間となっている。
【００３５】
そして、負荷回路４は、電界効果トランジスタＦＥＴ３のドレイン、ソース間に接続されたインダクタＬ２、共振用コンデンサＣ４および直流カット用コンデンサＣ５の直列回路と、共振用コンデンサＣ４に並列的に接続された放電ランプとしての蛍光ランプ１２を有して構成されている。また、蛍光ランプ１２の寿命検出回路として、蛍光ランプ１２の半波電流を検出する半波電流検出回路９が接続されている。そして、蛍光ランプ１２のフィラメント電極１２ａ，１２ｂのそれぞれの両端間は、インダクタＬ２の二次巻線（予熱巻線）Ｌ２ａ，Ｌ２ｂの両端間にそれぞれ接続されている。この二次巻線Ｌ２ａ，Ｌ２ｂにより、蛍光ランプ１２のフィラメント電極１２ａ，１２ｂは、常時予熱されるようにしている。
【００３６】
負荷回路４は、電界効果トランジスタＦＥＴ３のドレイン、ソース間に出力された高周波電圧により付勢される。すなわち、インバータ回路３から出力された高周波電圧は、インダクタＬ２、共振用コンデンサＣ４および直流カット用コンデンサＣ５を共振させる。この共振により負荷回路４内に共振電流が流れ、共振用コンデンサＣ４の両端間に共振電圧が発生する。共振電圧は、蛍光ランプ１２のフィラメント電極１２ａ，１２ｂ間に印加され、蛍光ランプ１２を点灯させる。
【００３７】
半波電流検出回路９は、直流カット用コンデンサＣ５と、直流カット用コンデンサＣ５の両端間に接続された抵抗Ｒ４および抵抗Ｒ５の直列回路と、カソード同士が接続され、それぞれのアノードが抵抗Ｒ４および抵抗Ｒ５の直列回路の両端にそれぞれ接続された一対のダイオードＤ３，Ｄ４と、ダイオードＤ３（ダイオードＤ４）を介して抵抗Ｒ４（抵抗Ｒ５）の両端間に接続されたツェナーダイオードＺＤ１およびフォトカプラＰＣ１のフォトダイオードＰｈＤ１の直列回路と、インバータ回路用集積回路５および基板アースＥ間にフォトトランジスタＰｈＴｒ１が接続されたフォトカプラＰＣ１を有して構成されている。
【００３８】
蛍光ランプ１２のフィラメント電極１２ａ，１２ｂの例えばエミッタが飛散してフィラメント電極１２ａ，１２ｂ間に半波放電が発生すると、直流カット用コンデンサＣ５の両端間に直流電圧が発生する。この直流電圧は、抵抗Ｒ４および抵抗Ｒ５により分圧される。そして、蛍光ランプ１２のフィラメント電極１２ａ，１２ｂ間の半波放電が進行して、直流カット用コンデンサＣ５の両端間の直流電圧が上昇し、抵抗Ｒ４または抵抗Ｒ５の両端電圧がツェナーダイオードＺＤ１のツェナー電圧以上になると、ツェナーダイオードＺＤ１が導通する。
【００３９】
ツェナーダイオードＺＤ１が導通すると、フォトカプラＰＣ１のフォトダイオードＰｈＤ１が発光する。フォトダイオードＰｈＤ１が発光すると、フォトカプラＰＣ１のフォトトランジスタＰｈＴｒ１がオンする。このフォトトランジスタＰｈＴｒ１がオンすることにより、蛍光ランプ１２の寿命末期がインバータ回路用集積回路５に検出される。このとき、インバータ回路用集積回路５は、電界効果トランジスタＦＥＴ２，ＦＥＴ３のオンオフ動作を停止させる。
【００４０】
そして、インバータ回路用集積回路５は、図２に示すように、サーマルプロテクタ１３、発振器１４、停止回路１５および保持回路１６を有してワンチップで構成されている。
【００４１】
発振器１４は、インバータ回路３の電界効果トランジスタＦＥＴ２，ＦＥＴ３のそれぞれのゲート、ソース間に交互に駆動電圧を出力して、電界効果トランジスタＦＥＴ２，ＦＥＴ３を所定の周波数でオンオフ動作させるように構成されている。
【００４２】
停止回路１５は、半波電流検出回路９のフォトカプラＰＣ１のフォトトランジスタＰｈＴｒ１がオンし、半波電流検出回路９が蛍光ランプ１２の寿命末期を検出すると、発振器１４などの制御電源を停止させて制御動作を不動作させる。また、保持回路１６の出力端子ＱからＨｉｇｈ信号（停止信号）が出力されると、発振器１４などの制御電源を停止させて制御動作を不動作させる。この制御動作の不動作により、インバータ回路３の電界効果トランジスタＦＥＴ２，ＦＥＴ３のオンオフ動作が停止する。これにより、蛍光ランプ１２は消灯する。
【００４３】
保持回路１６は、入力端子Ｓがサーマルプロテクタ１３に接続され、サーマルプロテクタ１３が所定温度以上を検出している検出信号が入力されると、出力端子ＱからＨｉｇｈ信号を停止回路１５に出力する。このＨｉｇｈ信号の出力は、リセット端子Ｒに外部からリセット信号が入力されるまで継続される。そして、リセット端子Ｒにリセット信号が入力されると、出力端子ＱからＬｏｗ信号を出力する。外部からのリセット信号は、例えば商用交流電源Ｖｓのオンオフやリモコン装置からのワイヤレス信号とすることができる。
【００４４】
サーマルプロテクタ１３は、インバータ回路用集積回路５に内蔵され、インバータ回路用集積回路５の温度を検出する。そして、インバータ回路用集積回路５の温度が所定温度以上、例えば１７０℃以上に上昇すると、接点（図示しない。）が開放される。この接点の開放がサーマルプロテクタ１３による所定温度以上の検出信号として保持回路１６の入力端子Ｓに入力される。
【００４５】
インバータ回路用集積回路５は、発振器１４、停止回路１５および保持回路１６の構成回路素子、またはこれら以外の構成回路の回路素子が例えば破壊や短絡などすると、発熱するようになる。そして、当該発熱が異常発熱に拡大して、インバータ回路用集積回路５の温度が所定温度以上に達すると、サーマルプロテクタ１３により検出信号が出力される。
【００４６】
そして、インバータ回路用集積回路５は、インバータ回路３の例えば電界効果トランジスタＦＥＴ３に熱結合されている。すなわち、図３に示すように、回路基板１７において、インバータ回路用集積回路５の近くに電界効果トランジスタＦＥＴ３が実装され、インバータ回路用集積回路５および電界効果トランジスタＦＥＴ３の表面に１枚の例えばシリコンからなる放熱シート１８が貼付されている。放熱シート１８は、インバータ回路用集積回路５および電界効果トランジスタＦＥＴ３に跨って配設されている。
【００４７】
電界効果トランジスタＦＥＴ３が発熱すると、直ちに放熱シート１８に伝熱され、さらにインバータ回路用集積回路５に伝熱される。そして、電界効果トランジスタＦＥＴ３が異常発熱すると、インバータ回路用集積回路５に伝熱される熱量が大きくなり、インバータ回路用集積回路５が迅速に温度上昇するようになる。そして、インバータ回路用集積回路５の温度が所定温度以上に上昇すると、サーマルプロテクタ１３により当該所定温度が検出される。すなわち、電界効果トランジスタＦＥＴ３の温度は、放熱シート１８を介してサーマルプロテクタ１３により迅速に検出される。
【００４８】
次に、本発明の第１の実施形態の作用について説明する。
【００４９】
商用交流電源Ｖｓが投入されると、インバータ回路用集積回路５の発振器１４から駆動電圧が出力され、インバータ回路３の電界効果トランジスタＦＥＴ２，ＦＥＴ３が交互にオンオフ動作される。これにより、インバータ回路３から高周波電圧が出力され、蛍光ランプ１２が点灯する。
【００５０】
そして、例えば、照明器具のランプソケットに蛍光ランプ１２が正常に装着されていなく、負荷回路４に蛍光ランプ１２が接続されていないと、過負荷となって電界効果トランジスタＦＥＴ２，ＦＥＴ３に過電流が流れる。また、蛍光ランプ１２のフィラメント電極１２ａ，１２ｂ間（共振用コンデンサＣ４の両端間）が何らかの要因により短絡されると、電界効果トランジスタＦＥＴ２，ＦＥＴ３に過電流が流れる。また、インダクタＬ２の主巻線がレアショートすると、電界効果トランジスタＦＥＴ２，ＦＥＴ３に過電流が流れるようになる。
【００５１】
電界効果トランジスタＦＥＴ２，ＦＥＴ３に過電流が継続して流れると、電界効果トランジスタＦＥＴ２，ＦＥＴ３が異常発熱する。そして、電界効果トランジスタＦＥＴ３から発生した熱は、放熱シート１８を介してインバータ回路用集積回路５に迅速に伝熱される。
【００５２】
インバータ回路用集積回路５は、時間の経過とともに熱量が増加していき、次第に温度上昇していく。そして、インバータ回路用集積回路５の温度が所定温度以上、例えば１７０℃以上に上昇すると、サーマルプロテクタ１３により当該温度が検出され、サーマルプロテクタ１３から検出信号が出力される。当該検出信号は、保持回路１６の入力端子Ｓに入力される。
【００５３】
保持回路１６は、前記検出信号が入力されると、出力端子Ｑから停止回路１５にＨｉｇｈ信号を出力する。停止回路１５は、Ｈｉｇｈ信号に応じて、発振器１４などの制御動作を不動作にする。これにより、発振器１４から駆動電圧が出力されず、インバータ回路３の電界効果トランジスタＦＥＴ２，ＦＥＴ３のオンオフ動作が停止し、蛍光ランプ１２が消灯する。
【００５４】
電界効果トランジスタＦＥＴ２，ＦＥＴ３のオンオフ動作が停止すると、電界効果トランジスタＦＥＴ２，ＦＥＴ３に電流が流れなくなって、電界効果トランジスタＦＥＴ２，ＦＥＴ３の温度が低下していく。また、インバータ回路用集積回路５も放熱シート１８から伝熱される熱量が減少し、最後的に伝熱されなくなるので、温度が低下していく。
【００５５】
このように、インバータ回路用集積回路５に内蔵されているサーマルプロテクタ１３が所定温度以上を検出したときに、インバータ回路３の電界効果トランジスタＦＥＴ２，ＦＥＴ３のオンオフ動作が停止されるので、電界効果トランジスタＦＥＴ２，ＦＥＴ３の熱破壊が防止される。
【００５６】
そして、保持回路１６は、リセット端子Ｒにリセット信号が入力されるまでは、継続して出力端子Ｑから停止回路１５にＨｉｇｈ信号を出力する。これにより、保持回路１５にリセット信号が入力されるまで、インバータ回路３の電界効果トランジスタＦＥＴ２，ＦＥＴ３のオンオフ動作が停止される。すなわち、インバータ回路用集積回路５の温度が低下して所定温度を下回り、サーマルプロテクタ１３が所定温度以上を検出しなくなってサーマルプロテクタ１３から検出信号が保持回路１６の入力端子Ｓに出力されなくなっても、電界効果トランジスタＦＥＴ２，ＦＥＴ３は、オンオフ動作しない。これにより、再び電界効果トランジスタＦＥＴ２，ＦＥＴ３がオンオフ動作して、異常発熱することの繰り返しが防止される。
【００５７】
そして、保持回路１６により電界効果トランジスタＦＥＴ２，ＦＥＴ３のオンオフ動作の停止が保持されているときに、電界効果トランジスタＦＥＴ２，ＦＥＴ３が異常発熱する原因を解消する。そして、当該原因を解消した後、例えばリモコン装置からリセット信号（ワイヤレス信号）を保持回路１６のリセット端子Ｒに入力させる。保持回路１６は、リセット信号が入力されると、前記停止の保持を解除する。すなわち、出力端子ＱからＨｉｇｈ信号を停止回路１５に出力しない。
【００５８】
停止回路１５は、保持回路１６からＨｉｇｈ信号が出力されないと、発振器１４に対する制御を停止する。これにより、発振器１４は、再びインバータ回路３の電界効果トランジスタＦＥＴ２，ＦＥＴ３のそれぞれのゲート、ソース間に交互に駆動電圧を出力し、電界効果トランジスタＦＥＴ２，ＦＥＴ３を交互にオンオフ動作させる。そして、蛍光ランプ１２は、点灯する。
【００５９】
上述したように、サーマルプロテクタ１３は、インバータ回路用集積回路５の所定温度以上を検出したときに、検出信号を出力する。そして、インバータ回路用集積回路５内の構成回路素子の一部が破壊または短絡などして、インバータ回路用集積回路自身が発熱し、インバータ回路用集積回路５が所定温度（例えば、１７０℃）以上に上昇すると、サーマルプロテクタ１３により当該温度が検出され、停止回路１５により発振器１４などの制御動作が不動作にされる。これにより、インバータ回路用集積回路５は、発熱がしなくなり、次第に温度低下していく。このように、サーマルプロテクタ１３は、１個でインバータ回路用集積回路５に熱結合している電界効果トランスタＦＥＴ３とともに、インバータ回路用集積回路５自身の異常発熱を検出する。インバータ回路用集積回路５は、自己保護用と外部の発熱部品の保護用のサーマルプロテクタ１３を有する。
【００６０】
そして、インバータ回路用集積回路５は、図４（ａ）に示すように、半田１９を用いて電界効果トランジスタＦＥＴ３に熱結合させてもよい。インバータ回路用集積回路５および電界効果トランジスタＦＥＴ３は、互いに近くに配置され、基板アースＥに接続される電界効果トランジスタＦＥＴ３の端子Ｔ１と、基板アースＥに接続されるインバータ回路用集積回路５の端子Ｔ２が半田１９により電気的に、かつ熱的に接続されている。電界効果トランジスタＦＥＴ３が発熱すると、端子Ｔ１、半田１９、端子Ｔ２およびインバータ回路用集積回路５の経路で迅速に伝熱される。そして、時間の経過とともにインバータ回路用集積回路５の温度が上昇していく。
【００６１】
また、インバータ回路用集積回路５は、図４（ｂ）に示すように、配線パターン（銅箔パターン）２０を用いて電界効果トランジスタＦＥＴ３に熱結合させてもよい。インバータ回路用集積回路５および電界効果トランジスタＦＥＴ３は、端子Ｔ１と端子Ｔ２が配線パターン２０により電気的に、かつ熱的に接続されている。電界効果トランジスタＦＥＴ３が発熱すると、当該熱は、電界効果トランジスタＦＥＴ３から端子Ｔ１、配線パターン２０、端子Ｔ２およびインバータ回路用集積回路５の経路で迅速に伝熱される。そして、時間の経過とともにインバータ回路用集積回路５の温度が上昇していく。
【００６２】
そして、インバータ回路用集積回路５は、インバータ回路３の電界効果トランジスタＦＥＴ３の他に、直流電源回路２または負荷回路４の発熱部品に熱結合させることもできる。
【００６３】
図１において、例えば、インバータ回路用集積回路５を突入電流防止回路８の突入電流防止用の抵抗Ｒ３に熱結合させる。ここで、インバータ回路用集積回路５および抵抗Ｒ３に熱結合は、図５（ａ）に示すように、回路基板１７の一方の面１７ａに実装されたインバータ回路用集積回路５に対向する他方の面１７ｂに抵抗Ｒ３を配設することにより行える。抵抗Ｒ３のそれぞれのリードは、回路基板１７の一方の面１７ａに形成された配線パターン２１に接続されている。また、図５（ｂ）に示すように、インバータ回路用集積回路５に抵抗Ｒ３が近接するようにして、回路基板１７に抵抗Ｒ３を実装することにより行える。
【００６４】
図１において、突入電流防止回路８の抵抗Ｒ３には、商用交流電源Ｖｓが投入された当初に、突入電流が流れる。そして、インダクタＬ１に電流が流れ、二次巻線Ｌ１ａの両端間に電圧が発生することにより、サイリスタＳＣＲ１がオンする。サイリスタＳＣＲ１がオンすると、直流電圧発生回路６から出力された電流は、サイリスタＳＣＲ１を介してチョッパ回路７に流れ、抵抗Ｒ３にはほとんど電流が流れなくなる。
【００６５】
そして、例えば、サイリスタＳＣＲ１が破壊することにより、または、二次巻線Ｌ１ａの断線や短絡、ダイオードＤ２の破壊、抵抗Ｒ２およびコンデンサＣ３の並列回路の断線や短絡などにより、サイリスタＳＣＲ１がオンしないと、抵抗Ｒ３に電流が流れるようになる。そして、抵抗Ｒ３は、チョッパ回路７およびインバータ回路３が動作していると、継続して電流が流れて異常発熱する。
【００６６】
抵抗Ｒ３が異常発熱すると、直ちに抵抗Ｒ３に熱結合しているインバータ回路用集積回路５の温度が上昇する。そして、インバータ回路用集積回路５に内蔵されているサーマルプロテクタ１３により所定温度以上が検出されると、インバータ回路３の電界効果トランジスタＦＥＴ２，ＦＥＴ３のオンオフ動作が停止される。そして、抵抗Ｒ３に電流がほとんど流れなくなり、抵抗Ｒ３の温度は、次第に低下していく。
【００６７】
このように、突入電流防止回路８のサイリスタＳＣＲ１が破壊またはオンしないと、抵抗Ｒ３に熱結合しているインバータ回路用集積回路５により電界効果トランジスタＦＥＴ２，ＦＥＴ３のオンオフ動作が停止される。これにより、抵抗Ｒ３の熱破壊および抵抗Ｒ３の周辺の構成回路部品への熱損傷の拡大が防止される。
【００６８】
また、図１において、インバータ回路用集積回路５を半波電流検出回路９の抵抗Ｒ４および抵抗Ｒ５の一方あるいは両方に熱結合させることができる。インバータ回路用集積回路５および抵抗Ｒ４，Ｒ５の熱結合は、突入電流防止回路８の抵抗Ｒ３と同様、図５（ａ）または図５（ｂ）に示すようにして行える。
【００６９】
半波電流検出回路９は、抵抗Ｒ４または抵抗Ｒ５の両端電圧がツェナーダイオードＺＤ１のツェナー電圧以上になると、ツェナーダイオードＺＤ１が導通し、フォトカプラＰＣ１のフォトダイオードＰｈＤ１が発光し、フォトトランジスタＰｈＴｒ１がオンする。このフォトトランジスタＰｈＴｒ１がオンすることにより、蛍光ランプ１２の寿命末期をインバータ回路用集積回路５に検出させる。
【００７０】
そして、一対のダイオードＤ３，Ｄ４の破壊、ツェナーダイオードＺＤ１の破壊や短絡、フォトカプラＰＣ１のフォトダイオードＰｈＤ１またはフォトトランジスタＰｈＴｒ１の破壊などが発生すると、蛍光ランプ１２の寿命末期がインバータ回路用集積回路５に検出されなくなる。
【００７１】
そして、蛍光ランプ１２の半波放電が進行すると、直流カット用コンデンサＣ５の両端電圧が上昇し、抵抗Ｒ４および抵抗Ｒ５のそれぞれの両端間電圧が上昇して、抵抗Ｒ４および抵抗Ｒ５が異常発熱する。
【００７２】
抵抗Ｒ４および抵抗Ｒ５が異常発熱すると、直ちに抵抗Ｒ４（抵抗Ｒ５）に熱結合しているインバータ回路用集積回路５の温度が上昇する。そして、インバータ回路用集積回路５に内蔵されているサーマルプロテクタ１３により所定温度以上が検出されると、インバータ回路３の電界効果トランジスタＦＥＴ２，ＦＥＴ３のオンオフ動作が停止される。これにより、負荷回路４に電流が流れなくなり、抵抗Ｒ４および抵抗Ｒ５の温度は、次第に低下していく。
【００７３】
このように、半波電流検出回路９のツェナーダイオードＺＤ１やフォトカプラＰＣ１などの一部の構成部品が破壊または短絡するなどして、蛍光ランプ１２の寿命末期がインバータ回路用集積回路５に検出されなくなると、抵抗Ｒ４（抵抗Ｒ５）に熱結合しているインバータ回路用集積回路５により電界効果トランジスタＦＥＴ２，ＦＥＴ３のオンオフ動作が停止される。これにより、抵抗Ｒ４および抵抗Ｒ５の熱破壊およびこれら抵抗Ｒ４，Ｒ５の周辺の構成回路部品への熱損傷の拡大が防止される。
【００７４】
なお、インバータ回路用集積回路５は、サーマルプロテクタ１３が所定温度以上を検出したときに、インバータ回路３から出力される高周波電圧が低減されるように、電界効果トランジスタＦＥＴ２，ＦＥＴ３のオンオフ動作を制御してもよい。そして、外部からリセット信号が入力されるまで、前記高周波電圧の低減を保持させてもよい。この場合であっても、発熱部品での異常発熱の継続が停止され、発熱部品の温度が低下するようになる。
【００７５】
上述したように、インバータ回路用集積回路５は、直流電源回路２、インバータ回路３および負荷回路４の発熱部品に熱結合させることができる。ここで、発熱部品がインバータ回路用集積回路５を囲むようにして回路基板１７に配設されることにより、また、インバータ回路用集積回路５が配設されている一方の面１７ａに対向する他方の面１７ｂに配設されることにより、インバータ回路用集積回路５を多数の発熱部品と熱結合させることが可能である。
【００７６】
次に、本発明の第２の実施形態について述べる。
【００７７】
図６は、本発明の第２の実施形態を示す放電ランプ点灯装置の回路図である。なお、図１と同一部分には同一符号を付して説明は省略する。
【００７８】
図６に示す放電ランプ点灯装置２２は、図１に示す放電ランプ点灯装置１において、負荷回路４のインダクタＬ２の二次巻線Ｌ２ｂ間が抵抗Ｒ６を介して蛍光ランプ１２のフィラメント電極１２ｂの両端間に接続されるようにして、負荷回路２２を形成したものである。抵抗Ｒ６は、低い抵抗値であり、インバータ回路用集積回路５に熱結合させている。
【００７９】
そして、抵抗Ｒ６は、図５（ｃ）に示すように、配線パターン２１を所定長の小さい幅に形成した幅狭部２１Ａにて形成している。そして、配線パターン２１の幅狭部２１Ａに近接するようにしてインバータ回路用集積回路５が配設され、幅狭部２１Ａにインバータ回路用集積回路５が熱結合されている。
【００８０】
蛍光ランプ１２のフィラメント電極１２ｂの両端間が何らかの原因により短絡されると、インダクタＬ２の二次巻線Ｌ２ｂの両端間は、配線パターン２１および当該幅狭部２１Ａを介して短絡される。この短絡により、二次巻線Ｌ２ｂ、配線パターン２１および幅狭部２１Ａに短絡電流が流れる。そして、幅狭部２１Ａは、配線パターン２１の幅が小さくされて形成されているので、短絡電流が流れることにより異常発熱する。
【００８１】
配線パターン２１の幅狭部２１Ａが異常発熱すると、直ちに幅狭部２１Ａに熱結合しているインバータ回路用集積回路５の温度が上昇する。そして、インバータ回路用集積回路５に内蔵されているサーマルプロテクタ１３により所定温度以上が検出されると、インバータ回路３の電界効果トランジスタＦＥＴ２，ＦＥＴ３のオンオフ動作が停止される。これにより、負荷回路２３に電流が流れなくなり、配線パターン２１の幅狭部２１Ａの温度は、次第に低下していく。
【００８２】
このように、蛍光ランプ１２のフィラメント電極１２ｂの両端間が短絡されると、配線パターン２１の狭幅部２１Ａに熱結合しているインバータ回路用集積回路５により電界効果トランジスタＦＥＴ２，ＦＥＴ３のオンオフ動作が停止される。これにより、インダクタＬ２の二次巻線Ｌ２ｂの焼損が防止される。
【００８３】
次に、本発明の第３の実施形態について述べる。
【００８４】
図７は、本発明の第３の実施形態を示す照明器具の外観図である。なお、図１と同一部分には同一符号を付して説明は省略する。
【００８５】
図７に示す照明器具２４は、天井などの造営物に設置される直付け照明器具であり、照明器具本体２５が造営物に取り付けられている。照明器具本体２５は、反射面２６ａを有するカバー２６が配設され、その両端に一対のランプソケット２７，２７が設けられている。また、照明器具本体２５は、カバー２６内に放電ランプ用点灯装置２８を配設している。放電ランプ用点灯装置２８は、図１に示す放電ランプ点灯装置１において、蛍光ランプ１２が除去されたものである。そして、蛍光ランプ１２は、ランプソケット２７，２７に装着されている。
【００８６】
照明器具２４は、放電ランプ用点灯装置２８の発熱部品が異常発熱すると、インバータ回路用集積回路５により、蛍光ランプ１２が消灯される。したがって、前記異常発熱により、照明器具２４への熱損傷が回避される。
【図面の簡単な説明】
【００８７】
【図１】本発明の第１の実施形態を示す放電ランプ点灯装置の回路図。
【図２】同じく、インバータ回路用集積回路のブロック図。
【図３】同じく、放熱シートによるスイッチ素子およびインバータ回路用集積回路の熱結合を示す概略断面図。
【図４】同じく、他のスイッチ素子およびインバータ回路用集積回路の熱結合を示し、（ａ）は半田による熱結合の概略上面図、（ｂ）は配線パターンによる熱結合の概略上面図。
【図５】同じく、抵抗およびインバータ回路用集積回路の熱結合を示し、（ａ）は回路基板を介する熱結合の概略断面図、（ｂ）は近接による熱結合の概略上面図、（ｃ）は配線パターンによる熱結合の概略上面図。
【図６】本発明の第２の実施形態を示す放電ランプ点灯装置の回路図。
【図７】本発明の第３の実施形態を示す照明器具の外観図。
【符号の説明】
【００８８】
１，２２…放電ランプ点灯装置
２…直流電源回路
３…インバータ回路
４，２３…負荷回路
５…インバータ回路用集積回路
２４…照明器具
２５…照明器具本体
【図１】
2006185603.tif 000003
【図２】
2006185603.tif 000004
【図３】
2006185603.tif 000005
【図４】
2006185603.tif 000006
【図５】
2006185603.tif 000007
【図６】
2006185603.tif 000008
【図７】
2006185603.tif 000009